(57)【要約】【課題】電気機器の部品増加を抑え、電気機器を容易に配置できるとともにこの電気機器の位置変更を容易に行うことができる非接触給電システムを提供する。【解決手段】給電部材１１には、照明機器１２を配置する配置部３２がその取付位置をスライド移動可能となるように設けられ、配置部３２のスライド移動（取付位置の変更）に伴って複数設けられる給電コイル３１の内のいずれかが対応するように構成される。【選択図】図１
2012228106.tif 000002
【特許請求の範囲】
【請求項１】
取付部材に取り付けられ、電源装置及び一次コイルを有する給電部材と、
前記一次コイルに対応する二次コイル及び負荷部を有する電気機器と
を備え、前記一次コイルから前記二次コイルへの電力伝送に基づいて前記負荷部に給電を行う非接触給電システムであって、
前記給電部材には、前記電気機器を配置する配置部材が該配置部材の取付位置を変更可能となるように設けられ、
前記配置部材の取付位置の変更に伴って複数設けられる前記一次コイルの内のいずれかが対応、若しくは前記配置部材の取付位置の変更に伴って前記一次コイルが移動可能とされたことを特徴とする非接触給電システム。
【請求項２】
請求項１に記載の非接触給電システムにおいて、
前記配置部材には、前記電気機器の配置位置を誘導するための磁石が設けられたことを特徴とする非接触給電システム。
【請求項３】
請求項２に記載の非接触給電システムにおいて、
前記磁石は、該磁石から発生する磁束と前記各コイルを通る磁束とが交差するように配置されたことを特徴とする非接触給電システム。
【請求項４】
請求項１〜３のいずれか一項に記載の非接触給電システムにおいて、
前記配置部材は、少なくとも前記一次コイルと対応する位置に他の位置と比較して視覚的に区別できる視覚認識部が備えられたことを特徴とする非接触給電システム。
【請求項５】
請求項１〜４のいずれか一項に記載の非接触給電システムにおいて、
前記配置部材は、少なくとも前記一次コイルと対応する位置に他の位置と比較して非視覚的に区別できる非視覚認識部が備えられたことを特徴とする非接触給電システム。
【請求項６】
請求項１〜５のいずれか一項に記載の非接触給電システムにおいて、
前記配置部材の取付位置をスライド移動によって変更するスライド機構を備えたことを特徴とする非接触給電システム。
【請求項７】
請求項６に記載の非接触給電システムにおいて
前記スライド機構は、前記配置部材を鉛直方向にスライド移動させることを特徴とする非接触給電システム。
【請求項８】
請求項１〜７のいずれか一項に記載の非接触給電システムにおいて、
前記負荷部は、光を照射する光源部であることを特徴とする非接触給電システム。
【発明の詳細な説明】
【技術分野】
【０００１】
本発明は、電気的に非接触状態で給電を行う非接触給電システムに関するものである。
【背景技術】
【０００２】
照明装置等の電気機器においては、その機器本体を容易に設置すべく、光源部等の負荷部に対して非接触で給電を行う非接触給電システムが従来から開発が進められている（例えば特許文献１，２参照）。
【０００３】
特許文献１の非接触給電システムは、例えば室内の天井に配置されるスライドレール内に一次コイルを内蔵し、このスライドレールに二次コイルを内蔵した照明装置がスライド可能に装着されて構成されている。前記スライドレールの長手方向（照明装置のスライド方向）に複数備えられ、前記スライドレールの任意の位置で照明装置に対して給電が可能とされている。
【０００４】
一方、特許文献２の非接触給電システムは、机の天板等に一次コイルを複数内装し、天板上に乗せた二次コイルを有する電気機器に対して給電が可能とされている。このため天板の面方向である水平方向において電気機器を移動することが可能となっている。
【先行技術文献】
【特許文献】
【０００５】
【特許文献１】特開２０１０−１１４００９号公報
【特許文献２】特開２００５−１１０４１２号公報
【発明の概要】
【発明が解決しようとする課題】
【０００６】
ところで、特許文献１の非接触給電システムでは、スライド移動させる際に照明機器（電気機器）に引っ掛け部が必要となり、照明機器の部品点数の増加が懸念される。
また、特許文献２の非接触給電システムでは、水平方向の移動においては給電コイルの供給エリアであれば自由に移動できるものの、例えば垂直移動については考慮されていない。また、特許文献２の非接触給電システムにおいても垂直移動に関しては特許文献１と同様な構成を採用すると特許文献１と同様にスライド移動させる際に照明機器（電気機器）に引っ掛け部が必要となり、照明機器の部品点数の増加が懸念される。
【０００７】
本発明は、上記課題を解決するためになされたものであって、その目的は、電気機器の部品増加を抑え、電気機器を容易に配置できるとともにこの電気機器の位置変更を容易に行うことができる非接触給電システムを提供することにある。
【課題を解決するための手段】
【０００８】
上記課題を解決するために、本発明の非接触給電システムは、取付部材に取り付けられ、電源装置及び一次コイルを有する給電部材と、前記一次コイルに対応する二次コイル及び負荷部を有する電気機器とを備え、前記一次コイルから前記二次コイルへの電力伝送に基づいて前記負荷部に給電を行う非接触給電システムであって、前記給電部材には、前記電気機器を配置する配置部材が該配置部材の取付位置を変更可能となるように設けられ、前記配置部材の取付位置の変更に伴って複数設けられる前記一次コイルの内のいずれかが対応、若しくは前記配置部材の取付位置の変更に伴って前記一次コイルが移動可能とされたこと特徴とする。
【０００９】
上記構成において、配置部材には、前記電気機器の配置位置を誘導するための磁石が設けられることが好ましい。
上記構成において、磁石は、該磁石から発生する磁束と前記各コイルを通る磁束とが交差するように配置されることが好ましい。
【００１０】
上記構成において、配置部材は、少なくとも前記一次コイルと対応する位置に他の位置と比較して視覚的に区別できる視覚認識部が備えられることが好ましい。
上記構成において、配置部材は、少なくとも前記一次コイルと対応する位置に他の位置と比較して非視覚的に区別できる非視覚認識部が備えられることが好ましい。
【００１１】
上記構成において、配置部材の取付位置をスライド移動によって変更するスライド機構を備えることが好ましい。
上記構成において、スライド機構は、前記配置部材を鉛直方向にスライド移動させることが好ましい。
【００１２】
上記構成において、負荷部は、光を照射する光源部であることが好ましい。
【発明の効果】
【００１３】
本発明によれば、電気機器の部品増加を抑え、電気機器を容易に配置できるとともにこの電気機器の位置変更を容易に行うことができる非接触給電システムを提供することができる。
【図面の簡単な説明】
【００１４】
【図１】第１実施形態における非接触給電システムの概略構成図である。
【図２】（ａ）は電気機器を省略した状態の非接触給電システムの斜視図であり、（ｂ）は電気機器を省略した状態の非接触給電システムの断面図である。
【図３】非接触給電システムの電気的構成を説明するためのブロック図である。
【図４】別例における配置部材について説明するための斜視図である。
【図５】別例における非接触給電システムについて説明するための概略構成図である。
【図６】同上における電気機器を省略した状態の非接触給電システムの斜視図である。
【図７】（ａ）は別例における電気機器を省略した状態における斜視図であり、（ｂ）は（ａ）の要部を拡大した斜視図である。
【図８】別例における電気機器を省略した状態の非接触給電システムの斜視図である。
【図９】別例における電気機器を省略した状態の非接触給電システムの斜視図である。
【図１０】第２実施形態における非接触給電システムの概略構成図である。
【図１１】電機機器を省略した状態の非接触給電システムの斜視図である。
【図１２】配置部材について説明するための斜視図である。
【図１３】別例における電気機器を省略した状態の非接触給電システムの斜視図である。
【図１４】別例における配置部材について説明するための斜視図である。
【図１５】別例における配置部材について説明するための断面図である。
【発明を実施するための形態】
【００１５】
以下、本発明を具体化した第１実施形態を図面に従って説明する。
図１に示すように、本実施形態の非接触給電システムは、室内Ｒ内の取付部材としての壁部Ｒ１に取り付けられる給電部材１１と、この給電部材１１から電気的に非接触な状態で給電される電気機器としての照明機器１２とを備えて構成される。
【００１６】
給電部材１１は、図１及び図３に示すように外殻が略直方体形状の筐体２１内に、商用電源ＰＳと接続される電源装置３０と、一次コイルとしての複数の給電コイル３１とを備えて構成される。
【００１７】
給電部材１１の筐体２１は、図２（ａ）（ｂ）に示すように給電コイル３１を収納する略四角形筒状の収納部２３と、収納部２３から一方（上方）に突出する板状の取付ベース片２２と、収納部２３から他方（下方）に突出する板状の支持片２４とを備える。
【００１８】
ベース片２２には、貫通孔２２ａが形成されるとともに、この貫通孔２２ａに挿通される複数のねじ２２ｂ（図２では１個のみ図示）により前記ベース片２２を含む筐体２１が前記壁部Ｒ１に対して取り付けられる。
【００１９】
支持片２４は、前記照明機器１２を配置（載置）するための配置部３２をスライド可能に支持するものである。
支持片２４には、その厚み方向（図２（ａ）（ｂ）において前後方向）に貫通する貫通溝部２４ａがスライド方向である左右方向に形成されている。なお、この貫通溝部２４ａは前記左右方向のいずれかが開放されており、開放された左右方向のいずれか側から前記配置部３２を装着することができるようになっている。
【００２０】
配置部３２は、前記照明機器１２（図１参照）を載せる配置ベース部３２ａを備える。配置部３２は、前記配置ベース部３２ａよりも支持片２４側（基端側）で前記支持片２４の貫通溝部２４ａと係合する取付部３２ｂが形成される。この取付部３２ｂは、基端部に前記支持片２４に装着した際に上下方向に延出するように形成されて、前記配置部３２が支持片２４に装着する際に前記支持片２４の内面と係合（当接）して配置部３２の前記支持片２４（筐体２１）からの脱落が防止されている。なお、前記配置ベース部３２ａ及び取付部３２ｂとでその断面が略Ｔ字状を成すように構成される。
【００２１】
さらに、配置部３２は、配置ベース部３２ａよりも先端側で前記照明機器１２の前方（先端側）への脱落を抑えるための壁部３２ｃが形成される。この壁部３２ｃは、前記配置ベース部３２ａの先端部から上方に延出するように形成されて、前記配置部３２（配置ベース部３２ａ）の上面に配置（載置）される照明機器１２の前方への脱落を抑えるものである。
【００２２】
前記配置ベース部３２ａに配置（載置）される照明機器１２は、略直方体形状の筐体内部に負荷部としての光源４３を搭載して、搭載されるその光源４３にて照射対象物（例えば室内Ｒ）に対して光を照射するものである。また、照明機器１２の筐体内には、図３に示すように、受電コイル４１と、整流平滑回路４２とを備えている。
【００２３】
受電コイル４１は、単数のコイル、複数のコイルまたはフェライトコア等を含め永久磁石や電磁石のいずれかからなる。また、受電コイル４１は、例えば白熱灯、蛍光灯、ＬＥＤ素子、有機ＥＬ素子や無機ＥＬ素子等で構成される光源４３に対して直接的若しくは間接的に給電を行うものである。
【００２４】
次に、照明機器１２並びにこの照明機器１２を備えた非接触給電システムの電気的構成を図面に従って説明する。
電源装置３０は、図３に示すように商用電源ＰＳから供給される交番電力を直流電力に変換させる整流平滑回路３０ａと、この整流平滑回路３０ａからの直流電力を再度交番電力に変換させるインバータ３０ｂとを備えている。インバータ３０ｂは、給電コイル３１と電気的に接続され、給電コイル３１に対して交番電流が供給する。このため、給電コイル３１では、このコイル３１の円環内部を直交するように交番磁束が発生するようになっている。
【００２５】
照明機器１２（図１参照）に備えた受電コイル４１は、給電コイル３１の交番磁束を受けて発生させる受電電力を整流並びに平滑化させて直流電力に変換する整流平滑回路４２に接続される。そして、この整流平滑回路４２と接続される光源４３に電力供給されて光源４３が発光するようになっている。
【００２６】
次に、本実施形態の作用を説明する。
本実施形態の照明制御システムでは、配置部３２が給電部材１１の筐体２１の長手方向（左右方向）に移動可能とされる。そして、配置部８２に配置（載置）される照明機器１２は、その受電コイル４１に対して前記筐体２１内に備えられる複数の給電コイル３１内のいずれかのコイル３１が対応し、給電コイル３１から受電コイル４１に無接点で電力伝送される。そして、照明機器１２（受電コイル４１）に電力伝送されると、照明機器１２に備えられる光源４３が発光するようになっている。
【００２７】
次に、本実施形態の特徴的な効果を記載する。
（１）給電部材１１には、照明機器１２を配置する配置部３２の取付位置をスライド移動可能となるように設けられ、配置部３２のスライド移動（取付位置の変更）に伴って複数設けられる給電コイル３１の内のいずれかが対応するように構成される。このような構成とすることで、二次コイルとしての受電コイル４１を有する電気機器としての照明機器１２に対して別途部材を追加することなく照明機器１２の位置を変更することができる。また、配置部３２の上面（載置面）に照明機器１２を配置（載置）するといった容易な配置方法で、給電コイル３１から照明機器１２の受電コイル４１に電力伝送が可能となる。
【００２８】
（第２実施形態）
次に、本発明を具体化した第２実施形態を図面に従って説明する。尚、第１実施形態と同じ部材については同じ符号を付して図面及び説明の全て又は一部を割愛する。
【００２９】
図１０に示すように、本実施形態の照明制御システムでは、第１実施形態の照明制御システムと比較して配置部の位置変更方向が左右方向でなく上下方向という点が主に異なる。
【００３０】
本実施形態の非接触給電システムは、図１０に示すように室内Ｒ内の取付部材としての床面Ｒ２に取り付けられる給電部材１１と、この給電部材１１から電気的に非接触な状態で給電される電気機器としての照明機器１２とを備えて構成される。
【００３１】
給電部材１１は、この給電部材１１の筐体８１が前記床面Ｒ２にその一端部が載置、又は図示しないねじ等で床面Ｒ２に直接又は間接的に取着される。
また、給電部材１１の筐体８１は、図１０及び図１１に示すように上下方向に長い、外観が略直方体形状をなすように形成されている。
【００３２】
筐体８１にはその前面から後部側に凹状をなす溝部８１ａが筐体８１の長手方向である上下方向に沿って２つ形成されている。また、筐体８１の前面の左右方向略中央部には筐体８１の長手方向である上下方向に複数の支持用穴部８１ｂが形成されている。筐体８１の内部には第１実施形態同様に電源装置３０及び給電コイル３１が設けられる。
【００３３】
また、筐体８１の前部には図１１に示すように照明機器１２を配置（載置）するための配置部８２が着脱可能且つ上下方向（筐体８１の長手方向）に移動可能に設けられている。具体的には配置部８２は、図１１及び図１２に示すように前記支持用穴部８１ｂに基端側が挿入される支持シャフト８２ａと例えば蝶番にて接続されて下側から支持されるようになっている。また、配置部８２は、その後部から更に後方に延出する柱状の２つの取付部８２ｂが前記筐体８１の溝部８１ａに対応するように形成される。このため、配置部８２は、支持シャフト８２ａの前記支持用穴部８１ｂに挿入する位置を調整することで、上下方向にスライド移動可能に構成される。また、配置部８２の前記溝部８１ａに挿入される取付部８２ｂが配置部８２を前方に引き抜いても溝部８１ａと当接することが無いため、容易に配置部８２を取り外すことが可能となっている。
【００３４】
また、配置部８２は、その照明機器１２を配置（載置）する載置面（上面）８３は、複数色（本実施形態では３色）で着色される視覚認識部としての第１〜第３面部８３ａ〜８３ｃを備える。第１面部８３ａは、配置部８２を筐体８１に装着した際に筐体８１側（後部側）の面部であり、他の第２及び第３面部８３ｂ，８３ｃよりも色が例えば濃く着色されている。第２面部８３ｂは、配置部８２の前後方向において前記第１面部８３ａと第３面部８３ｃとの間の面部であり、第１面部８３ａよりも色が薄く、第３面部８３ｃよりも色が濃く着色されている。第３面部８３ｃは、配置部８２を筐体８１に装着した際に筐体８１から最も離間した位置（前部側）の面部であり、他の第１及び第２面部８３ａ，８３ｂよりも色が薄く着色されている。各面部８３ａ〜８３ｃは、その色に応じて給電コイル３１及び受電コイル４１間の電力伝送効率を示すものであり、本実施形態では色が濃い程、良好に電力伝送が可能とされている。
【００３５】
次に、本実施形態の作用を説明する。
本実施形態の非接触給電システムでは、配置部８２が給電部材１１の筐体８１の長手方向（上下方向）に移動可能とされる。そして、配置部８２（載置面８３）に載置される照明機器１２は、その受電コイル４１に対して前記筐体８１内に備えられる複数の給電コイル３１内のいずれかのコイル３１が対応し、給電コイル３１から受電コイル４１に無接点で電力伝送される。そして、照明機器１２（受電コイル４１）に電力伝送されると、照明機器１２に備えられる光源４３が発光するようになっている。
【００３６】
また、照明機器１２を配置（載置）する配置部８２の第１〜第３面部８３ａ〜８３ｃが筐体８１内の給電コイル３１に近いほど濃い色で着色されて、使用者に対して各面部８３ａ〜８３ｃの違いを認識させることができるようになっている。
【００３７】
次に、本実施形態の特徴的な効果を記載する。本実施形態では第１実施形態の（１）の効果に加えて以下の効果を奏することができるようになっている。
（１）配置部８２は、前記一次コイルとしての給電コイルと対応する位置である各に他の位置と比較して視覚的に区別できる視覚認識部としての第１〜第３面部８３ａ〜８３ｃが備えられる。これにより、使用者に対して電力伝送効率の良好な位置を知らせることができるため、照明機器１２に光源４３を効率よく点灯させること可能となる。
【００３８】
尚、本発明の各実施形態は、以下のように変更してもよい。
・上記各実施形態では、一方向に長い外観が略直方体形状の筐体２１，８１の長手方向と直交する方向に面する前面側に配置部３２，８２を１つ設ける構成としたが、この配置部を前面に複数設ける構成を採用してもよい。また、各筐体２１，８１の前面だけでなく使用者からみて露出する露出面であれば他の面にも配置部３２，８２を設ける構成を採用してもよい。
【００３９】
・上記各実施形態では、筐体２１，８１をその外観が略直方体形状となるように形成したが、例えば図１３に示すように、外観が略円柱状となるように筐体９１を構成してもよい。更に、図１３に示すように前記略円柱状の筐体９１の外周にわたって配置部９２が設けられる構成を採用してもよい。
【００４０】
この配置部９２には、図１４に示すように略円環板状をなし、その中央部に形成される孔部には前記筐体９１の外表面に形成される例えば３つの溝部９１ａに対応してそれぞれ挿通される例えば３つの柱状の取付部９２ｂが形成される。また、この配置部９２は、第２実施形態の配置部８２と同様に、筐体９１の支持用穴部９１ｂに基端側が挿入される支持シャフト９２ａと例えば蝶番にて接続されて下側から支持されるようになっている。このため、配置部９２は、支持シャフト９２ａの前記支持用穴部９１ｂに挿入する位置を調整することで、上下方向にスライド移動可能に構成されている。このような構成とすることで、円環状の配置部９２に照明機器１２を配置（載置）することができるため、照明機器１２の光源４３による点灯方向をより広い範囲で調整することができる。
【００４１】
・上記第２実施形態では、配置部８２に前記照明機器１２を載置（配置）するための載置面８３に視覚認識部としての第１〜第３面部８３ａ〜８３ｃを異なる色で着色する構成としたがこれに限らない。例えば、第１〜第３面部８３ａ〜８３ｃを備えない構成、つまり配置部８２の載置面（上面）を着色しない若しくは１色で着色した構成を採用してもよい。
【００４２】
また、図１５に示すように配置部９２の載置面（上面）である第１〜第３面部９３ａ〜９３ｃを複数色で着色するとともに、高さ（厚み）が異なるように形成して、非視覚的に給電効率のよい場所を認識させる非視覚認識部を備える構成を採用してもよい。図１５では、径方向内側の第３面部９３ｃが最も筐体９１（図１３参照）の受電コイル（図示略）に近いため電力伝送効率が最も高く、第２面部９３ｂ、第１面部９３ａの順に電力伝送効率が高い。なお、配置部９２の載置面（上面）を段差形状や凹凸形状等の非視覚認識部のみを備える構成を採用してもよい。
【００４３】
ちなみに、上記第１実施形態では、配置部３２の着色等について特に言及していないが、第２実施形態同様に視覚認識部を備える構成、非視覚認識部を備える構成やその両方を備える構成を採用してもよい。
【００４４】
・上記各実施形態並びに上記各構成では、各配置部３２，８２，９２を各筐体２１，８１，９１の長手方向にスライド移動させる構成としたが、これに限らない。例えば図４に示すように、支持片２４に配置部３２を支持するための貫通孔２４ｂを形成して、配置部３２（配置ベース部３２ａ）の後部側から更に後方に延びて前記貫通孔２４ｂに挿通可能な支持用突起３２ｄを形成する構成が考えられる。このような構成とすることで、支持用突起３２ｄを任意の貫通孔２４ｂに挿通することで、配置部３２を任意の位置で給電部材１１に装着することができる。
【００４５】
・上記各実施形態並びに上記各構成では、室内Ｒの壁部Ｒ１や床面Ｒ２に給電部材１１を取り付ける構成としたが、給電部材１１の取付位置はこれに限らず、適宜変更してもよい。
【００４６】
例えば、図５及び図６に示すように室内等に設けられる脚部Ｄ１付きの机Ｄの天板Ｄ２に対して給電部材１１を取り付ける構成を採用してもよい。
より具体的には、給電部材１１を構成する筐体は、給電コイル３１を収納する収納スペース５１ａを有する筒状の収納部５１と、この収納部５１の前部下端から下方に延出する支持片５２と、この支持片５２の下端部から前方に延出する取付片５３を備える。支持片５２には前記支持片２４と同様に貫通溝部５２ａが形成され、配置部３２のスライド移動が可能とされる。取付片５３は、例えば天板Ｄ２の下面と当接した状態で例えば自身の厚さ（上下）方向貫通した貫通孔５３ａにねじ５３ｂを挿通させ、天板Ｄ２とねじ５３ｂにより取り付けられている。このような構成にて机Ｄに給電部材１１を取り付けることができ、机Ｄ（天板Ｄ２上面）を前記照明機器１２にて照らすことが可能となる。
【００４７】
・上記各実施形態並びに上記各構成では、給電部材１１の筐体２１，８１，９１内に配置部３２，８２，９２の移動（スライド）方向に沿って複数の給電コイル３１を設ける構成としたが、配置部３２，８２，９２の移動に伴って給電コイル３１が一体移動する構成としてもよい。
【００４８】
その一例としては、図７（ａ）（ｂ）及び図９に示すように配置部６２全体を各溝部６１ｃにて支持するための取付部６４に給電コイル３１を収納する筒状の収納部６４ａを形成し、この収納部６４ａに前記給電コイル３１を収納する構成が考えられる。これにより、前記配置部６２を構成する取付部６４内の給電コイル３１が配置部６２と一体移動するため、１つの給電コイル３１で前記受電コイル４１に電力伝送することができる。
【００４９】
なお、各給電コイル３１への電源装置３０からの電力供給については、例えば図７（ａ）（ｂ）に示す構成が考えられる。即ち、図７（ａ）（ｂ）に示すように、給電部材１１を構成する筐体６１の内面６１ａに前記電源装置３０と電気的に接続される長尺状の２つの接点部６１ｂを前記配置部６２の移動方向に沿って設ける。そして、配置部６２の前記取付部６４の後面に、前記接点部６１ｂと当接するとともに前記配置部６２の移動に伴って一体移動する突状のコイル側接点部６４ｃを２つ形成する。各コイル側接点部６４ｃは前記給電コイル３１の両端部とそれぞれ電気的に接続される。このため、電源装置３０から順に一方の接点部６１ｂ、一方のコイル側接点部６４ｃ、給電コイル３１、他方のコイル側接点部６４ｃ、他方の接点部６１ｂを通って前記電源装置３０まで戻るような回路が形成される。
【００５０】
・上記各実施形態では特に言及していないが、例えば図８及び図９に示すように配置部３２，６２に磁石７０を設ける構成を採用してもよい。このように、配置部３２，６２に磁石７０を設けることで、受電コイル４１を有する照明機器１２を前記配置部３２，６２に配置（載置）する際に自然と磁石７０側に誘導することができる。このとき、例えば磁石７０の位置を各コイル３１，４１間で高効率にて電力伝送できる位置に配置することで照明機器１２を使用者が意識する事無く自然と配置することができる。また、磁石７０が配置される配置部３２，６２は、その面方向が給電部材１１に対して直交する関係であるため、磁石７０が各コイル３１，４１間の磁束密度に影響を与え難い位置となり、電力伝送効率を好適に維持することが可能となる。
【００５１】
また、例えば給電コイル３１を磁化させることで、その磁力によって筐体２１に収容された受電コイル４１並びに照明機器１２を磁気吸引（誘導）させる構成を採用してもよい。
【００５２】
・上記各実施形態では、照明機器１２の筐体を略直方体形状としたが、これに限らず球状などに適宜変更してもよい。また、照明機器１２には１つの光源４３を設ける構成としたが、複数の光源を設けても良く、例えば各光源４３が同方向や多方向に向くように構成してもよい。
【００５３】
・上記各実施形態では、負荷部が光源４３である照明機器１２にて電気機器を構成したが、これに限定されるものではない。例えば、ＴＶ（テレビジョン）、フォトフレーム、小型ディスプレイ、スピーカ、扇風機、空調用のファン、空気清浄機、アロマディフューザ等の他の電気機器であってもよい。
【符号の説明】
【００５４】
１１…給電部材、１２…照明機器（電気機器）、２４ａ，５２ａ，６１ｃ…スライド機構を構成する貫通溝部、３０…電源装置、３１…給電コイル（一次コイル）、３２，６２，８２，９２…配置部（配置部材）、３２ａ…スライド機構を構成する配置ベース部、３２ｂ…スライド機構を構成する取付部、４１…受電コイル（二次コイル）、７０…磁石、８１ａ，９１ａ…スライド機構を構成する溝部、Ｒ１…壁部（取付部材）、Ｒ２…床面（取付部材）、Ｄ…机（取付部材）。
【図１】
2012228106.tif 000003
【図２】
2012228106.tif 000004
【図３】
2012228106.tif 000005
【図４】
2012228106.tif 000006
【図５】
2012228106.tif 000007
【図６】
2012228106.tif 000008
【図７】
2012228106.tif 000009
【図８】
2012228106.tif 000010
【図９】
2012228106.tif 000011
【図１０】
2012228106.tif 000012
【図１１】
2012228106.tif 000013
【図１２】
2012228106.tif 000014
【図１３】
2012228106.tif 000015
【図１４】
2012228106.tif 000016
【図１５】
2012228106.tif 000017